(57)【要約】【課題】年齢、性別に関係なく日常履きとして安定して使用でき、平衡感覚、心臓の強化、下半身の筋肉、骨の強化、肥満の解消、生活習慣病の予防等肉体的或いは心理的効果を奏功する靴の提供。【解決手段】靴底（３）のミッドソール（５）をポリウレタン製の硬度６０±３度の下部ミッドソール（６）と、ＥＶＡ製の硬度６５±５度の上部ミッドソール（７）の２層構造とし、下部ミッドソール（６）と上部ミッドソール（７）の接合面を特有の曲面構造とし、踵部の湾曲面の接線と接地面との成す角度を５〜４０度、踵部の湾曲面の曲率半径を１５〜３０、爪先部の湾曲面の接線と接地面との成す角度を２〜１０度、爪先部の湾曲面の曲率半径を１５０〜１８０とし、靴底内部に空気循環システムを構成する。【選択図】図２
2010094480.tif 000002
【特許請求の範囲】
【請求項１】
胛（２）と靴底（３）から構成される靴（１）であって、靴底（３）が、主として、アウトソール（４）とミッドソール（５）から構成されていて、ミッドソール（５）が、下部ミッドソール（６）および上部ミッドソール（７）の２層構造である靴において、
イ。前記下部ミッドソール（６）および上部ミッドソール（７）の材料および硬度がそれぞれ異なること、および
ロ。前記下部ミッドソール（６）の上面が、足長寸法の中間点（ＭＰ）を基点にして中足骨の前後の間（Ｌ１）において１〜２０度で上方になだらかに傾斜していて、中足骨の後部から踵重心点（ＨＰ）までの間（Ｌ２）において１〜２０度で上方になだらかに傾斜していて、中足骨の前側関節から指骨の間（Ｌ３）において１〜２０度で上方になだらかに傾傾斜していること、を特徴とする靴。
【請求項２】
イ。踵部の湾曲面の接線（ＴＬ１）と接地面との成す角度（α）が５〜４０度で、踵部の湾曲面の曲率半径（Ｒ１）が１５〜３０であること、および
ロ。爪先部の湾曲面の接線（ＴＬ２）と接地面との成す角度（β）が２〜１０度で、爪先部の湾曲面の曲率半径（Ｒ２）が１５０〜１８０であること、を特徴とする請求項１記載の靴。
【請求項３】
靴底（３）が、アウトソール（４）、下部ミッドソール（６）および上部ミッドソール（７）を含むミッドソール（５）、中底（１６）、および中敷（１７）から構成されていて、
イ。下部ミッドソール（６）の踵部に上面開口した空洞部（１８）を設け、空洞部（１８）に空洞部（１８）の底面と一体化した厚さ方向に少なくとも１個のピラー（１９）を所定間隔離隔して立設し、ピラー（１９）を介して形成される上面開口した空間をエアチャンバー（２０）とすること、
ロ。上部ミッドソール（７）の裏面長手方向に前記エアチャンバ−（２０）と連通する少なくとも１本の空気流通流路（２１）穿設し、空気流通流路（２１）の所定の箇所に上部ミッドソール（７）を厚さ方向に貫通する少なくとも１個の透孔（２２）を穿設し、上部ミッドソール（７）の表面の幅方向に少なくとも１本の横溝（２３）を設け、
ハ。前記上部ミッドソール（７）に重合される中底（１６）の前記上部ミッドソール（７）の表面に形成された横溝（２３）に対応する箇所に中底（１６）の幅方向に貫通する貫通溝（２４）を設け、
二。前記中底（１６）に載置される中敷（１７）の前記中底（１６）に形成された貫通溝（２４）に対応する箇所に中敷（１７）の幅方向に貫通する透孔（２６）を設けたことを特徴とする請求項１または２記載の靴。
【請求項４】
前記上部ミッドソール（７）と中底（１６）の踵対応箇所に、周辺に立上がり部（１４’）を立設したスタビライザー（１４）を、前記上部ミッドソール（７）と中底（１６）に一体的に嵌着したことを特徴とする請求項１〜３のいずれかに記載の靴。
【請求項５】
上部ミッドソール（７）がエチレン−酢酸ビニル共重合体で硬度６５±３度、下部ミッドソール（６）がポリウレタンで硬度６０±３度の範囲に成形されていることを特徴とする請求項１〜４のいずれか１項に記載の靴。
【発明の詳細な説明】
【技術分野】
【０００１】  本発明は靴に関する。より詳細の述べれば、本発明は、爪先と爪先の接地面とが形成する角度、及び踵と踵の接地面とが形成する角度が、それぞれ、通常の靴のそれらより大きく、靴底の特定箇所を支点として前後に揺動する靴に関する。
【背景技術】
【０００２】  近年、運動不足の解消、肥満改善、或いはメタボリックシンドローム（ｍｅｔａｂｏｌｉｃｓｙｎｄｒｏｍｅ）、いわゆる生活習慣病の改善等多様な目的でウオーキング或いはジョギングを行う人が、男女を問わず増えてきている。【０００３】  現在、多種多様なウオーキングシューズ、或いはジョギングシューズが上市されている。従来のウオーキングシューズ、或いはジョギングシューズを、構造面から解析すると、当然のことであるが、ある一定時間、たとえば、３０〜６０分間等継続して歩行すること、従って、踵から着地して親指の付け根（ボールジョイント）で蹴り出すまで、足裏が円弧を描くような、いわゆる「ローリング動作」を、たとえば３０〜６０分間等継続して行うことを前提とした構造になっている。そのことにより、心臓の強化、下半身の筋肉、骨の強化、肥満の解消、生活習慣病の予防等肉体的或いは心理的効果を奏功しようとするものでる。また、付加的機能として、長時間使用しても、骨、筋肉等に高負担を掛けない、歩行中発生した汗や熱を速やかに外部に排出させる等々を標榜している。【０００４】  従って、従来のウオーキングシューズ、或いはジョギングシューズを、たとえば、室内での歩行、リハビリテーション、散歩（いわゆる「ブラブラ歩き」）や、近所への買い物、日常履き等に使用しても、身体の平衡感覚、心臓の強化、下半身の筋肉、骨の強化、肥満の解消、生活習慣病の予防等肉体的或いは心理的効果を得ることはできない。【０００５】  従って、たとえば、室内での歩行、リハビリテーション、散歩（いわゆる「ブラブラ歩き」）や、近所への買い物、日常履きとして使用しても、ウオーキングシューズ或いはジョギングシューズを使用した場合に得られる身体の平衡感覚、心臓の強化、下半身の筋肉、骨の強化、肥満の解消、生活習慣病の予防等肉体的或いは心理的効果を奏功する靴が望まれていた。【０００６】  この要望を満たすべく幾つかの靴が提案されている。代表的なものは、スイスマサイテクノロジー（ＭＢＴ）社が開発した靴がある（以下、このタイプの靴を「ＭＢＴタイプの靴」という）。これは、通常の靴の場合、踵の硬度が大きく、靴底は爪先へ向けて傾斜しているが、ＭＢＴタイプの靴は、踵が柔らかい発泡ポリウレタン製で、靴底が滑らかに凸状に反っていて、支点を中心にして前後に揺動運動するような構造になっている。この揺動運動の間に、重心が爪先方向へ移動し、不安定な運動を惹起するもので、この不安定な運動によって、主として下肢の多数の筋肉を強化しようとするものである。現在、各種構造のＭＢＴタイプの靴が提案されている。然しながら、現在提案されているものは、極端に不安定な構造のものが多く、リハビリ訓練者等弱者、幼児、高齢者、女性等には、リスクを伴う場合がある。
特許文献１は、靴底にＶ字型の靴底台を取り付け、立っても、座っても、歩いても足、膝、腰に負担をかけないで疲れず、且つストレッチ、シェイアップ、トレーニングができ、歩行や走行時に、意識しなくてもアキレス腱や大腿二頭筋などの体の後側を伸ばすこと等ができる靴が開示されている。【０００７】  このＶ字型の靴底台は、爪先先端部から頂点部の前傾斜角度αを２５度にした前傾斜面Ａと、踵後端部から頂点部の後傾斜角度βを２５度にした後傾斜面Ｂから構成されていて、前傾斜面Ａと後傾斜面Ｂの接点は面ではなく、ほぼ点になっている。従って、極端な言い方をすれば、「ポックリ」或いは修験者などが履く一本歯の高下駄のような構造で、極めて不安定である。【０００８】  特許文献１に記載された靴の踵は、通常の靴の踵のように一定の厚さがある安定した構造ではなく、踵部本底から直接２５度で斜め下方にに切り落とした構造である。従って、特許文献１に記載された靴の場合、後傾斜面Ｂ全体が、いわば踵の役目をすることになる。人が通常歩行する時には、踵から着地するが、特許文献１に記載された靴の場合、後傾斜面Ｂの全面を着地しない限り、不安定である。前傾斜面Ａと後傾斜面Ｂの接点で着地した場合、前のめりになったり、或いは横にブレたりして、常に不安感、危険性がつきまとうという欠点がある。【０００９】  特許文献２は、足裏の土踏まずに対応する対応する靴やサンダル等の履物の底面の土踏まず底面を履物底の全長の３０〜５０％の範囲に平面状に成形し、その前後の足指側底面および踵側底面を足裏の足指側および踵側に向かって８〜１５度の傾斜した面とした健康用靴等の履物を開示している。【００１０】  特許文献２に記載された健康用靴等の履物は、底の全長の３０〜５０％が平面状に成形されていて、これも、極端な言い方をすれば、「ポックリ」或いは修験者などが履く一本歯の高下駄のような構造で、極めて不安定である。従って、特許文献２に記載された健康用靴等の履物も、特許文献１に関して上述してと同じ欠点がある。【００１１】  特許文献３は、着用者の筋力を鍛えながら関節にかかる負担を軽減する靴底として、土踏まず周辺を下側から支持するための土踏まず支持部と、爪先周辺を下側から支持するための爪先支持部と、踵周辺を下側から支持するための踵支持部とから靴底を備えていて、土踏まず支持部の中央部周辺に肉厚が形成されていて、中央部の最下面が平坦に形成されている靴底を開示している。これも、極端な言い方をすれば、修験者などが履く一本歯の高下駄のような構造で、極めて不安定である。従って、特許文献３に記載された健康用靴等の履物も、特許文献１に関して上述してと同じ欠点がある。【００１２】
【特許文献１】特開１１−２８５４０１号公報
【特許文献２】特開２００３−３０４９０４号公報
【特許文献３】特開２００６−２０４７１２号公報
【００１３】
【発明の開示】
【発明が解決しようとする課題】
【００１４】  発明が解決しようとする課題は、上記従来技術の欠点を解消し、たとえば、散歩（いわゆる「ブラブラ歩き」）や、近所への買い物、日常履きとして使用しても、ウオーキングシューズ或いはジョギングシューズを使用した場合に得られると同じような身体の平衡感覚、心臓の強化、下半身の筋肉、骨の強化、肥満の解消、生活習慣病の予防等肉体的或いは心理的効果を奏功し、しかも、年齢、性別に関係なく、歩行、走行時にも安定して履用することができる靴を提供することである。
【課題を解決する手段】
【００１５】  上記課題は、下記に記載する手段によって解決される。
１．胛と靴底から構成される靴であって、靴底が、主として、アウトソールとミッドソールから構成されていて、ミッドソールが、下部ミッドソールおよび上部ミッドソールの２層構造である靴において、
イ。前記下部ミッドソールおよび上部ミッドソールの材料および硬度がそれぞれ異なること、および
ロ。前記下部ミッドソールの上面が、足長寸法の中間点を基点にして中足骨の前後の間において１〜２０度で上方になだらかに傾斜していて、中足骨の後部から踵重心点までの間において１〜２０度で上方になだらかに傾斜していて、中足骨の前側関節から指骨の間において１〜２０度で上方になだらかに傾傾斜していることを特徴とする靴。
【００１６】２．前記１項において、イ。踵部の湾曲面の接線と接地面との成す角度を５〜４０度で、踵部の湾曲面の曲率半径を１５〜３０の範囲に設定し、
ロ。爪先部の湾曲面の接線と接地面との成す角度を２〜１０度で、爪先部の湾曲面の曲率半径を１５０〜１８０の範囲に設定する。
【００１７】３．前記１又は２項において、靴底が、アウトソール、下部ミッドソールおよび上部ミッドソールを含むミッドソール、中底、および中敷から構成されていて、
イ。下部ミッドソールの踵部に上面開口した空洞部を設け、空洞部に空洞部の底面と一体化した厚さ方向に少なくとも１個のピラーを所定間隔離隔して立設し、ピラーを介して形成される上面開口した空間をエアチャンバーとすること、
ロ。上部ミッドソールの裏向長手方向に前記エアチャンバ−と連通する少なくとも１本の空気流通流路を穿設し、空気流通流路の所定の箇所に上部ミッドソールを厚さ方向に貫通する少なくとも１個の透孔を穿設し、上部ミッドソールの表面の幅方向に少なくとも１本の横溝を設け、
ハ。前記上部ミッドソールに重合される中底の前記上部ミッドソールの表面に形成された横溝に対応する箇所に中底の幅方向に貫通する貫通溝を設け、
ニ。前記中底に載置される中敷の前記中底に形成された貫通溝に対応する箇所に中敷の幅方向に貫通する透孔を設ける。
【００１８】４．前記１〜３項のいずれかにおいて、上部ミッドソールと中底の踵対応箇所に、周辺に立ち上がり部を立設したスタビライザーを、上部ミッドソールと中底に一体的に嵌着する。
【００１９】５．前記１〜４項のいずれかにおいて、上部ミッドソールがエチレン−酢酸ビニル共重合体で硬度６５±３度、下部ミッドソールがポリウレタンで硬度６０±３度の範囲に成形する。
【発明の効果】
【００２０】  請求項１に記載した発明により下記に例示する効果を得ることができる。
１．ミッドソールが、材料および硬度がそれぞれ異なる下部ミッドソールおよび上部ミッドソールの２層構造から構成されているので、下部ミッドソールおよび上部ミッドソールの材料および硬度を選択することにより、下部ミッドソールおよび上部ミッドソールに異なる物性を付与することができる。それによって、歩行或いは走行時の足の骨格、筋肉等の複雑な動きに対応し、応力を分散・吸収することができる。
【００２１】２．下部ミッドソールの上面が、足長寸法の中間点を基点にして中足骨の前後の間において１〜２０度で上方になだらかに傾斜していて、中足骨の後部から踵重心点までの間において１〜２０度で上方になだらかに傾斜していて、中足骨の前側関節から指骨の間において１〜２０度で上方になだらかに傾傾斜している。即ち、下部ミッドソールと上部ミッドソールとの接合面が、直線や単純な曲線ではなく、足裏の解剖学的構造にほぼ沿った独特の緩やかな曲面になっているので、歩行或いは走行時の足の骨格、筋肉等の複雑な動きに、そのまま対応して、応力を分散・吸収することができる。より詳細に述べれば、着地時には、登坂するようなストレッチ感覚で、また、蹴出し時は足指全部の衝撃を吸収することができる。
【００２２】  請求項２に記載した発明により下記に例示する効果を得ることができる。
踵部の湾曲面の接線と接地面との成す角度が５〜４０度で、踵部の湾曲面の曲率半径が１５〜３０で、爪先部の湾曲面の接線と接地面との成す角度が２〜１０度で、爪先部の湾曲面の曲率半径が１５０〜１８０の範囲に設定してあるので、靴底の接地面積が比較的大きい。従って、前記特許文献に記載されている修験者などが履く一本歯の高下駄、或いは「ポックリ」のような極めて不安定な構造の従来技術と異なり、前のめりになったり、或いは横にブレたりして、常に不安感、危険性がつきまとうという欠点がない。
【００２３】  請求項３に記載した発明により下記に例示する効果を得ることができる。
１．下部ミッドソールの踵部に上面開口した空洞部を設け、空洞部に空洞部の底面と一体化した厚さ方向に少なくとも１個のピラーを立設したので、踵の荷重をピラーが受けるので、踵に空洞部があっても踵の形状が変形したり、いわゆる「ヘタリ」が発生しない。
【００２４】２．ピラーを介して形成される上面開口した空間をエアチャンバーとし、上部ミッドソールの裏面長手方向にエアチャンバーと連通する少なくとも１本の空気流通流路穿設し、空気流通流路の所定の箇所に上部ミッドソールを厚さ方向に貫通する少なくとも１個の透孔を穿設し、上部ミッドソールの表面の幅方向に少なくとも１本の横溝を設け、上部ミッドソールに重合される中底の前記上部ミッドソールの表面に形成された横溝に対応する箇所に中底の幅方向に貫通する貫通溝を設け、中底に重合される中敷の中底に形成された貫通溝に対応する箇所に中敷の幅方向に貫通する透孔を設ける。即ち、踵に形成されるエアチャンバ−→上部ミッドソールの裏面長手方向に形成される空気流通流路→上部ミッドソールを厚さ方向に貫通する透孔→上部ミッドソールの表面の幅方向に形成される横溝→中底の幅方向に貫通する貫通溝→中敷の幅方向に貫通する透孔が完全に連通され、１本の空気流通チャンネルが形成される。従って、着地時に空洞部が一種のポンプの役目をし、靴底から靴内への空気循環システムが構成される。
【００２５】  請求項４に記載した発明により、上部ミッドソールと中底の踵対応箇所に、周辺に立上がり部を立設したスタビライザーを、上部ミッドソールと中底に一体的に嵌着するので、歩行時或いは走行時に、回内位或いは回外位、外後胛の型くずれ、ヘタレ等を防止することができ、靴の耐久性が向上する。
【００２６】  請求項５に記載した発明により、上部ミッドソールがエチレン−酢酸ビニル共重合体で硬度６５±３度、下部ミッドソールがポリウレタンで硬度６０±３度の範囲に成形する。従って、この設定範囲で、上部ミッドソールを硬質に、下部ミッドソールを上部ミッドソールより柔質に成形することにより、下部ミッドソールに着地時の衝撃吸収・反発性能を付与し、上部ミッドソールに、前記［００２２］で記載した効果と共に、それぞれ材料及び硬度が異なる上部ミッドソール下部ミッドソールの相乗作用により、快適な歩行感を得ることができる。
【発明を実施するための最良の形態】
【００２７】  添付図面を参照して発明を実施するための最良の形態を説明する。
図１は本発明の靴１の全体を示す斜視図、図２は本発明の靴の断面図、図３は本発明の靴に使用する靴底の断面図、図４は本発明の靴に使用する靴底の分解斜視図、図５は本発明の靴に使用する靴底の構成を示す断面図である。【００２８】  本発明の靴１は、胛２と靴底３の２主要部材から構成されている。胛２は、前胛８、外後胛材９、爪先補強材１０、外爪先補強材１１、後胛材１２、履き口パタット１３、砂除け１２、スタビライザー１３等から構成されている。これらの材料等は新規なものではないので、詳細な説明は割愛する。【００２９】  靴底２は、下部ミッドソール６，上部ミッドソール７、及び中底１６が一体化し、さらにアウトソール４が嵌着状態で一体化されている。中底１６には、中敷１７が載置される。中敷１７は、通常、いわゆる「カップインソール」が好ましい。【００３０】  靴底２を構成する材料は、エチレン−酢酸ビニル共重合体（ＥＶＡ）、ポリウレタン、或いはゴム等任意の材料から射出成形法あるいは加硫成形法により製造される。どのような材料を選択するかは、主として靴の用途、製造コスト等を勘案して決定される。【００３１】  本発明の実施例では、下部ミッドソール６をポリウレタンで硬度６０±３度の柔質構造に、上部ミッドソール７をエチレン−酢酸ビニル共重合体（ＥＶＡ）を材料に射出成形法により硬度６５±３度の硬質構造に、一体に製造した。ここで、硬度はＪＩＳ−Ａ型硬度計で測定した値である。【００３２】  下部ミッドソール６と上部ミッドソール７の接合面は、直線や単純な曲線ではなく、図２〜５に示したように、足裏の解剖学的構造にほぼ沿った独特の緩やかな曲面なるように成形した。即ち、図５に示したように、下部ミッドソール６の上面が、足長寸法の中間点（ＮＰ）を基点にして中足骨の前後の間（Ｌ１）において１〜２０度で上方になだらかに傾斜していて、中足骨の後部から踵重心点（ＨＰ）までの間（Ｌ２）において１〜２０度で上方になだらかに傾斜していて、中足骨の前側関節から指骨の間（Ｌ３）において１〜２０度で上方になだらかに傾傾斜するように成形した。【００３３】  また、踵部と爪先部の上方傾斜角度、曲率半径にしては、踵部の湾曲面の接線（ＴＬ１）と接地面との成す角度（α）が５〜４０度の範囲、踵部の湾曲面の曲率半径（Ｒ１）が１５〜３０、爪先部の湾曲面の接線（ＴＬ２）と接地面との成す角度（β）が２〜１０度で、爪先部の湾曲面の曲率半径（Ｒ２）が１５０〜１８０の範囲になるように製造した。【００３４】  上述した、足長寸法の中間点（ＭＰ）を基点にして中足骨の前後の間（Ｌ１）の傾斜角度、中足骨の後部から踵重心点（ＨＰ）までの間（Ｌ２）における傾斜角度、中足骨の前側関節から指骨の間（Ｌ３）における傾斜角度、踵部の湾曲面の接線（ＴＬ１）と接地面との成す角度（α）、踵部の湾曲面の曲率半径（Ｒ１）、爪先部の湾曲面の接線（ＴＬ２）と接地面との成す角度（β）、爪先部の湾曲面の曲率半径（Ｒ２）等数値設定は、靴の使用目的、性別、年齢等諸条件に応じて適宜決定されるべきである。然しながら、通常、踵部の湾曲面の接線（ＴＬ１）と接地面との成す角度（α）は３５．２度、踵部の湾曲面の曲率半径（Ｒ１）は１６．７が、爪先部の湾曲面の接線（��Ｌ２）と接地面との成す角度（β）は１０度、爪先部の湾曲面の曲率半径（Ｒ２）は１６０．６が最も好ましい。この値に設定することにより、前記特許文献に記載されている修験者などが履く一本歯の高下駄、或いは「ポックリ」のような極めて不安定な構造の従来技術と異なり、前のめりになったり、或いは横にブレたりして、常に不安感、危険性がつきまとうという欠点が解消される。【００３５】  下部ミッドソール６の踵部には、上面が開口した空洞部１８を設ける。空洞部１８を設けただけでは、そこ箇所が弱化部となり、踵の形状が変形したり、いわゆる「ヘタリ」が発生する。そこで、空洞部１８に空洞部１８の底面と一体化した厚さ方向に少なくとも１個のピラー１９を所定間隔離隔して立設する。ピラー１９を立設することにより、踵の荷重をピラーが受けるので、踵に空洞部があっても踵の形状が変形したり、いわゆる「ヘタリ」が発生しない。【００３６】  空洞部１８にピラー１９を所定間隔離隔して立設するので、ピラー１９とピラー１９の間、ピラー１９と空洞部１８を構成する壁面との間に空間が形成される。この空間をエアチャンバー２０として活用する。【００３７】  図４−Ｃに示したように、上部ミッドソール７の裏面（即ち、下部ミッドソール６との接合面）の長手方向にエアチャンバー２０と連通する少なくとも１本の空気流通流路２１穿設する。図４−Ｃでは、空気流通流路２１は踵部から爪先部に見てＵ字形であるが、必ずしもその形状は限定されない。それぞれ独立した溝を複数本設けてもよい。重要なことは、それらがエアチャンバー２０と連通していることである。【００３８】  図４−Ｂに示したように、上部ミッドソール７の表面（即ち、下部ミッドソール６との接合面と対向する面）に、空気流通流路２１と連通する所定の場所に上部ミッドソール７を厚さ方向に貫通する少なくとも１個の透孔２２を穿設し、上部ミッドソール７の表面の幅方向に少なくとも１本の横溝２３を設ける。この実施例では、図２及び３に示したように、この横溝２３は、空気流通流路２１と連通していない。横溝２３を空気流通流路２１と連通させると、横溝２３が多数の場合、空気流通流路２１と連通させると、その箇所が弱化部となって、上部ミッドソール７の強度を弱めるからであある。従って、横溝２３を空気流通流路２１と連通させるか否かは、横溝２３の長手方向の幅、幅方向の長さ、及び個数を勘案して決定されるべきである。【００３９】  図４−Ｅは中底１６を示している。中底１６は上部ミッドソール７に重合され一体化される部材である。中底１６において、上部ミッドソール７の表面に形成された横溝２３に対応する箇所に中底１６の幅方向に貫通する貫通溝２４を設ける。貫通溝２４は、上部ミッドソール７の表面の幅方向に穿設される横溝２３に成るべく正確に対応させることが好ましい。そのことにより、上部ミッドソール７と中底１６の間に滞留した空気が貫通溝２４をから上部へ流れる効率が良くなる。【００４０】  図４−Ｆは中底１６に載置される、好ましくはカップインソール型の中敷１７である。カップインソール型の中敷は公知なので、詳細な説明は省略する。中敷１７には、外側アーチから踵部を経て内側アーチに至る立上がり壁２５が立設されている。これは、歩行時にアーチ状の土踏まず部分を保護し、長時間履いていても足が母趾側に向くのを防止し、足の土踏まずが垂下するのを防止し、足の回内位、回外位を防止して安定した歩行を行わせるためのものである。【００４１】  中敷１７において、中底１６に形成された貫通溝２４に対応する箇所に中敷１７の幅方向に貫通する複数個の透孔２６を設ける。【００４２】  上述した構造の下部ミッドソール６、上部ミッドソール７、中底１６、及び中敷１７を組合わせて一体化すると、一部を図３に示したように、踵に形成されたエアチャンバー２０→上部ミッドソール７の裏面長手方向に形成された空気流通流路２１→上部ミッドソール７を厚さ方向に貫通する透孔２２→上部ミッドソール７の表面の幅方向に形成された横溝２３→中底１６の幅方向に貫通する貫通溝２４→中敷１７の幅方向に貫通する透孔２６が完全に連通され、１本の空気流通チャンネルが形成される。従って、着地時に空洞部が一種のポンプの役目をし、靴底から靴内への空気循環システムが構成される。【００４３】  図４−Ｄは、上部ミッドソール７と中底１６の踵対応箇所に、上部ミッドソール７と中底１６に一体的に嵌着されるスタビライザー１４を示している。スタビライザー１４の周縁には、左右から踵方向に向けて徐々に高くなる立上がり部１４’が立設されている。スタビライザー１４の材料は特段に限定されないが、本実施例の場合、ポリ塩化ビニルである。スタビライザー１４を、上部ミッドソール７と中底１６の踵対応箇所に、上部ミッドソール７と中底１６に一体的に取り付けたので、歩行時或いは走行時に、回内位或いは回外位、外後胛の型くずれ、ヘタレ等を防止することができ、靴の耐久性が向上する。
【産業上の利用分野】
【００４４】  本発明の靴は、上述した構成になっているので、「ポックリ」或いは修験者などが履く一本歯の高下駄のような極めて不安定な構造で、歩行時、或いは走行時に前のめりになったり、或いは横にブレたりして、常に不安感、危険性がつきまとうという欠点がある前記特許文献に記載されている従来技術と異なり、構造上無理が無く、安定しているので、たとえば、散歩（いわゆる「ブラブラ歩き」）や、近所への買い物、日常履きとして使用しても、ウオーキングシューズ或いはジョギングシューズを使用した場合に得られると同じような身体の平衡感覚、心臓の強化、下半身の筋肉、骨の強化、肥満の解消、生活習慣病の予防等肉体的或いは心理的効果を奏功し、しかも、年齢、性別に関係なく、歩行、走行時にも安定して履用することができる。従って、マーチャンダイジング、マーケッティングの観点からも、新たな用途の開発や、新たなユーザーの開拓が期待される。
【図面の簡単な説明】
【００４５】
【図１】本発明の靴の１実施例の斜視図。
【図２】本発明の靴の断面図。
【図３】本発明の靴に使用する靴底の断面図。
【図４】本発明の靴に使用する靴底の分解斜視図。
【図５】本発明の靴に使用する靴底の構成を示す断面図。
【符号の説明】
【００４６】１      靴
２      胛
３      靴底
４      アウトソール
５      ミッドソール
６      下部ミッドソール
７      上部ミッドソール
８      前胛
９      外後胛
１０    爪先補強材
１１    爪先補強材
１２    砂除け
１３    履き口パテット
１４    スタビライザー
１４’  スタビライザーの立上がり部
１５    裏胛
１６    中底
１７    中敷
１８    空洞部
１９    ピラー
２０    エアチャンバー
２１    空気流通流路
２２    透孔
２３    横溝
２４    貫通溝
２６    貫通孔
ＭＰ    足長寸法の中間点
ＨＰ    踵重心点
Ｌ１    中足骨間
Ｌ２    足根骨間
Ｌ３    指骨間
ＴＬ１  踵部の湾曲面の接線
ＴＬ２  爪先部の湾曲面の接線
Ｒ１    踵部の湾曲面の曲率半径
Ｒ２    爪先部の湾曲面の曲率半径
α      踵部の湾曲面の接線と接地面との成す角度
β      爪先部の湾曲面の接線と接地面との成す角度
【図１】
2010094480.tif 000003
【図２】
2010094480.tif 000004
【図３】
2010094480.tif 000005
【図４−Ａ】
2010094480.tif 000006
【図４−Ｂ】
2010094480.tif 000007
【図４−Ｃ】
2010094480.tif 000008
【図４−Ｄ】
2010094480.tif 000009
【図４−Ｅ】
2010094480.tif 000010
【図４−Ｆ】
2010094480.tif 000011
【図５】
2010094480.tif 000012